(57)【要約】      （修正有）【課題】ムラがなく略均一な空調効果を得るとともに、取付け姿勢に係らず、２本の取付け用桟での据付けを可能として、コストの低減を図れる、天井カセット型空気調和機を提供する。【解決手段】天井カセット型空気調和機は、天井裏の桟Ｓに取付けられ平面視で略矩形状をなす室内機本体１と、この室内機本体に取付けられ、平面視で略矩形状をなす化粧パネル１３と、化粧パネルの略中央部に設けられる吸込み口１５および各辺部に沿って設けられる４個の吹出し口１６と、室内機本体の各角部に設けられ２本の平行な桟に対して化粧パネル１３の互いに対向する二辺が平行な姿勢での取付けをなす第１の吊り金具、室内機本体の各辺部中央に設けられ２本の平行な室内機取付け用桟に対して化粧パネル１３の互いに対向する二辺が４５度回動した姿勢での取付けをなす第２の吊り金具とを具備した。【選択図】図１
2013117341.tif 000002
【特許請求の範囲】
【請求項１】
天井裏の桟に取付けられ、平面視で略矩形状をなす本体と、
前記本体に取付けられ、平面視で略矩形状をなす化粧パネルと、
前記化粧パネルの略中央部に設けられる吸込み口および、前記化粧パネルの各辺部に沿って設けられる４個の吹出し口と、
前記本体の各角部に設けられ、２本の平行な前記桟に対して前記化粧パネルの互いに対向する二辺が平行な姿勢での取付けをなす第１の取付け部と、
前記本体の各辺部中央に設けられ、２本の平行な前記桟に対して前記化粧パネルの互いに対向する二辺が４５度回動した姿勢での取付けをなす第２の取付け部と、
を具備したことを特徴とする天井カセット型空気調和機。
【発明の詳細な説明】
【技術分野】
【０００１】
本発明の実施態様は、吸込み口と吹出し口を有する化粧パネルが取付けられた天井カセット型空気調和機に関する。
【背景技術】
【０００２】
たとえば、大型の商品販売店（スーパーマーケット）等は、各商品の陳列スペースをより大きく確保する必要がある。このような仕切りの無い大空間である店内を冷暖房等の空気調和をなすには、いわゆる天井カセット型空気調和機（以下、「室内機」と呼ぶ）を、複数台、備えると良い。
【０００３】
建物の天井パネル内には、梁が複数本、所定間隔を存して設けられ、これら梁間に室内機取付け用桟が掛け渡される。そこで、取付け用桟に吊りボルトを垂設し、これら吊りボルトの下端部にナットを螺挿する。一方、室内機本体の側面部には吊り金具が設けられ、吊り金具を吊りボルトの下端部に挿通し、ナットで吊り金具を締結固定する。
【０００４】
この状態で、室内機本体の下端部が天井パネルに設けられる取付け用開口部に挿通する。室内機本体の挿通端部に化粧パネルを取付け、室内に露出させる。通常、化粧パネルは矩形状をなし、この中央部に吸込み口が設けられ、吸込み口周囲の四辺部に吹出し口が設けられる。
【先行技術文献】
【特許文献】
【０００５】
【特許文献１】実公平８−１３８０号公報
【特許文献２】特開平８−２７１０３６号公報
【発明の概要】
【発明が解決しようとする課題】
【０００６】
仕切りの無い大空間である大型の商品販売店では、複数列で、複数台の室内機を取付けるにあたって、美観の向上を図るばかりでなく、室内を均一にムラなく空気調和する必要がある。  
図６は、従来における複数台の天井カセット型空気調和機（以下、「室内機」と呼ぶ）の取付け配置構造を示す、建物の平面図である。
【０００７】
建物の構造上、被空調室の天井裏には、梁Ｈが縦横平行に設けられる。ここでは、被空調室が縦方向（Ｙ−Ｙ）寸法に対して横方向（Ｘ−Ｘ）寸法が大であるので、横方向（Ｘ−Ｘ）に複数本の梁Ｈが所定間隔を存し縦方向全長に亘って設けられ、縦方向（Ｙ−Ｙ）に１本の梁Ｈが横方向全長に亘って設けられる。
【０００８】
これら梁Ｈに掛け渡される室内機取付け用桟（以下、単に「桟」と呼ぶ）Ｓは、縦方向に２本を１組として、２組・４本の桟Ｓが横方向全長に亘って平行に設けられる。室内機Ｋは、これら桟Ｓに沿って取付けられていて、縦方向に２列（複数列）、横方向に４台（複数台）、正しく整然と並んだ状態となり、美観の向上を得られる。
【０００９】
ところで、室内機Ｋの図示しない化粧パネルの四辺に沿って吹出し口が設けられる。そのため熱交換空気の吹出し方向は、室の縦横側壁Ｗへ向っての吹出しと、隣接する室内機Ｋの吹出し口へ向っての吹出しとの、いずれかになる。実際に、室の側壁Ｗへ向かっての吹出しよりも、隣設する室内機Ｋの吹出し口へ向っての吹出しの数が断然に多い。
【００１０】
したがって、これら室内機Ｋ相互間に位置する人は、前後もしくは左右から吹出される熱交換空気を受けて、空調効果を強く感じる。ただし、各室内機Ｋの角部相互を結ぶ対角線（４５度）の延長上の位置に移動すると、熱交換空気の吹出しを弱く感じて、空調効果にムラが生じているのが分る。
【００１１】
図７は、従来において、各室内機Ｋの取付け配置構造を変えた建物の平面図である。  
ここでは、縦方向２列に並んだ室内機Ｋのいずれか１列、たとえば図の上部側列のように、室内機Ｋを側壁Ｗと平行な姿勢で所定間隔を存して取付ける。これは、先に図６で説明した姿勢と変りがない。図の下部側列に示す室内機Ｋは、側壁Ｗに対して４５度回動した姿勢に傾け、互いに所定間隔を存した取付けをなす。
【００１２】
このような場合でも、各室内機Ｋは縦横所定間隔を存して整然と配置され、美観の向上を得る。そして、図の上下部側列における各室内機Ｋの吹出し口が互いに非対向になるので、各室内機Ｋの吹出し口から熱交換空気が吹出されると、熱交換空気は互いに衝突することなく吹出され、空調効果のムラが無くなり、均一化が得られる。
【００１３】
ただし、側壁Ｗと平行な取付け姿勢の上部側列であれば問題がないが、下部側列のように４５度傾けた姿勢とするには、４５度傾けた位置において中央部となる２箇所の取付けを１本の桟Ｓで行い、残りの各端部１箇所の取付けを、それぞれ１本の桟Ｓで行わなければならない。したがって、３本の桟Ｓが必要となり、設置コストの増大化を招く。
【００１４】
このような事情から、ムラがなく略均一な空調効果を得るとともに、取付け姿勢に係らず、２本の取付け用の桟での取付けを可能として、設置コストの低減を図れる、天井カセット型空気調和機が望まれていた。
【課題を解決するための手段】
【００１５】
本実施形態における天井カセット型空気調和機では、平面視で略矩形状に形成される本体が、天井裏の室内機取付け用の桟に取付けられる。平面視で略矩形状をなす化粧パネルが、本体に取付けられる。化粧パネルの略中央部に吸込み口が設けられ、化粧パネルの各辺部に沿って４個の吹出し口が設けられる。本体の各角部に第１の取付け部が設けられ、この第１の取付け部を介して本体を２本の平行な桟に対して平行な姿勢での取付けをなす。本体の各辺部中央に第２の取付け部が設けられ、この第２の取付け部を介して本体を２本の平行な桟に対し４５度回動した姿勢での取付けをなす。
【図面の簡単な説明】
【００１６】
【図１】本実施形態に係る、（天井カセット型空気調和機）室内機の縦断面図。
【図２】同実施形態に係る、化粧パネルの下面図と、室内機本体の下面図。
【図３】第１の実施形態に係る、室内機の取付け配置図。
【図４】同実施形態に係る、室内機の取付け配置構造図と、熱交換空気の吹出し方向を説明する図。
【図５】第２の実施形態に係る、室内機の取付け配置構造図。
【図６】従来の、室内機の取付け配置構造図。
【図７】図６とは異なる従来の、室内機の取付け配置構造図。
【発明を実施するための形態】
【００１７】
以下、本実施形態を図面にもとづいて説明する。  
図１は、天井裏Ｒｚに埋設された天井カセット型空気調和機Ｋの縦断面図である。（以下、天井カセット型空気調和機のことを単に、「室内機」という。）
図中１は室内機本体であって、薄肉金属板から形成される。この室内機本体１は、平面視で矩形状であったものの四隅角部を面取りして略八角状をなした上面壁１ａと、この上面壁１ａの各辺部に沿って一体に設けられる側壁１ｂとからなり、下端部１Ｃは開口している。
【００１８】
室内機本体１の側壁１ｂ外面には、引掛け用孔部を備えた吊り金具Ｔが突設される。この吊り金具Ｔの引掛け用孔部に、天井裏Ｒｚを構成する梁もしくは柱間に掛け渡される取付け用桟Ｓから垂下される吊りボルト３が掛合し、吊りボルト３にナット４が螺合して吊り金具Ｔの上下面から、吊り金具Ｔを締結固定する。
【００１９】
なお、室内機本体１に対して吊り金具Ｔは後述するように２種類が設けられていて、これにより室内機本体１の取付け姿勢は後述するように２種類の変化が可能であり、そのいずれかが選択される。
【００２０】
室内機本体１の側面壁１ｂ全てと、上面壁１ａ一部のそれぞれの内面に、断熱材５が密着して取付けられる。  
室内機本体１の上面壁１ａ略中央部内面に、送風機７を構成するファンモータ７Ｍが取付け固定される。このファンモータ７Ｍの軸方向は垂直方向に向けられ、下方に突出する回転軸にファン７Ｆが嵌着される。ファン７Ｆは、ファンモータ７Ｍにより回転駆動され、軸方向である下部側から空気を吸込み、周方向へ吹出す。
【００２１】
室内機本体１内には、送風機７を中心として、その周囲を囲んで熱交換器８が配置される。この熱交換器８は、図示しない室外機に配置される圧縮機や室外熱交換器などと冷凍サイクルを構成するよう冷媒管を介して接続される。熱交換器８は、平面視で略矩形状に折曲形成され、送風機ファン７Ｆから吹出される風を受ける位置にある。
【００２２】
室内機本体１の下端開口部１Ｃには断熱材５を介してドレンパン９が嵌め込まれ、ドレンパン９上面に形成される凹陥部ｂ上に熱交換器８が載る。熱交換器８の上端部は室内機本体１の上面壁１ａに断熱材５を介して密着する。熱交換器８の上下端部に隙間が形成されないので、送風機ファン７Ｆから吹出される風は全て熱交換器８を流通する。
【００２３】
ドレンパン９の各辺部外面が凹陥形成され、この凹陥形成部Ｃが室内機本体１の側壁１ｂ内面に断熱材５と間隙を存している。実質的に、ドレンパン９の角部のみが室内機本体１側壁１ｂの角部に断熱材５を介して嵌め込まれていて、このことから、熱交換器８を通過したあとの風がドレンパン９の凹陥形成部Ｃに導かれるようになっている。
【００２４】
ドレンパン９の中心軸に所定半径の開口部が形成され、ここにベルマウス１０が取付けられる。ベルマウス１０は、上端部を送風機ファン７Ｆに対向し、下端部１０ｂは室内機本体１の下端開口部１Ｃと同一位置にある。なお、ベルマウス１０の下方には、電気部品を備えた電気部品箱１１が取付けられる。
【００２５】
室内機本体１の下端開口部１Ｃには、平面視で矩形状の化粧パネル１３が嵌め込まれる。化粧パネル１３は、天井パネルＰに設けられる取付け用開口部１４を閉塞し、天井パネルＰから被空調室内Ｒに露出する位置にある。
【００２６】
化粧パネル１３の中央部に、吸込み口１５が設けられる。この吸込み口１５の周辺部に複数の細長い吹出し口１６が設けられ、ドレンパン９の各辺部に形成される凹陥形成部Ｃと対向する。吹出し口１６は、斜め外方に吹出すよう開口されていて、内部に吹出しルーバ１７が回動自在に設けられ、吹出される空気の吹出し角度を可変できる。
【００２７】
このようにして構成される室内機Ｋであり、熱交換器８に対する冷凍サイクル運転を開始するとともに、送風機７を駆動することにより、被空調室内Ｒの空気が化粧パネル１３の吸込み口１５から吸込まれる。室内空気はベルマウス１０の下端開口部１０ｂに導かれ、ベルマウス１０に案内されて上端開口部１０ａから送風機ファン７Ｆに導かれる。
【００２８】
送風機ファン７Ｆによって周方向へ吹出され、送風ファン７Ｆを囲んで配置される熱交換器８を流通する。熱交換器８は冷凍サイクル運転にともない冷媒が導かれており、ここで冷媒は室内空気と熱交換する。冷房運転を指示していれば、室内空気は冷気に変わって吹出される。暖房運転を指示していれば、室内空気は暖気に変わって吹出される。
【００２９】
いずれも、熱交換器８から流出した熱交換空気は、一旦、室内機本体１内面の断熱材５に衝突する。さらに、断熱材５とドレンパン９の各辺に形成される凹陥形成部Ｃとの隙間から導かれ、凹陥形成部Ｃと対向して設けられる化粧パネル１３の吹出し口１６から、吹出しルーバ１７に案内されて室内へ吹出される。  
各吹出し口１５から冷気が吹出される場合は室内の冷房作用をなし、暖気が吹出される場合は室内の暖房作用をなす。
【００３０】
図２（Ａ）は、化粧パネル１３の下面図。図２（Ｂ）は、化粧パネル１３を取外し、組立てられた状態の室内機本体１の下面図である。  
図２（Ａ）に示すように、化粧パネル１３は縦横略同一寸法の矩形状（四角状）をなしている。この中央部には、矩形状の吸込み口１５が設けられていて、吸込み口１５と化粧パネル１３外周縁の間隔寸法とは各辺において同一である。
【００３１】
さらに、化粧パネル１３の外周縁と吸込み口１５周縁との間には、化粧パネル１３の各辺部に沿って長く、各辺部とは直交する方向は短い複数の吹出し口１６が設けられる。化粧パネル１３が矩形状に形成されているので、吹出し口１６は各辺に合計４個設けられ、吹出しルーバ１７が回動自在に収容されることは、先に説明したとおりである。
【００３２】
図２（Ｂ）に示すように、室内機本体１は矩形状の隅部を面取りされた変形八角形状をなしていて、中心部にベルマウス１０で囲まれた送風機ファン７Ｆが見える。このベルマウス１０と送風機ファン７Ｆは、化粧パネル１３の吸込み口１５と対向する位置にある。
【００３３】
室内機本体１におけるベルマウス１０の周囲にはドレンパン９が取付けられていて、このドレンパン９の外周囲各辺部に凹陥形成部Ｃが設けられる。それぞれの凹陥形成部Ｃは、化粧パネル１３の各吹出し口１６と対向する位置にあり、ここでは、一部を切欠して示している。
【００３４】
室内機本体１の側壁１ｂ外面で、各角部１ｄには、第１の取付け部を構成する第１の吊り金具Ｔ１が設けられる。また、各角部１ｄ相互間に形成される辺部の略中間部には、第２の取付け部を構成する第２の吊り金具Ｔ２が設けられる。  
第１の吊り金具Ｔ１および第２の吊り金具Ｔ２ともに、４個ずつ設けられていて、それぞれが引掛け孔部を有し、特に図示していないが室内機本体１の下端開口部１Ｃから同一高さに設けられる。
【００３５】
そして、図において横方向（Ｘ−Ｘ）に２本の平行な破線Ｌａを引いた状態で、この各線Ｌａ上に左右２個の第１の吊り金具Ｔ１が位置する。室内機本体１は矩形状をなし、その角部１ｄに第１の吊り金具Ｔ１が設けられるところから、縦方向に２本の平行な線を引いても、それぞれの線上に上下２個ずつの第１の吊り金具Ｔ１が位置することになる。
【００３６】
室内機本体１の、図の上辺部に設けた第２の吊り金具Ｔ２から、図の右辺部に引いた一点鎖線Ｌｂ上に、図の右辺部に設けた第２の吊り金具Ｔ２が位置する。また、図の左辺部に設けた第２の吊り金具Ｔ２から、図の下辺部に引いた一点鎖線Ｌｂ上に、図の下辺部に設けた第２の吊り金具Ｔ２が位置する。
【００３７】
これら第２の吊り金具Ｔ２を結ぶ２本の一点鎖線Ｌｂは、左右２個の第１の吊り金具Ｔ１を結ぶ２本の平行な破線Ｌａに対して、４５度の角度に形成される。室内機本体１は矩形状をなし、２個の第２の吊り金具Ｌｂを結ぶ２本の一点鎖線Ｌｂが、左右の第１の吊り金具Ｔ１を結ぶ２本の平行な破線Ｌａに対し４５度の角度を存するので、室内機本体１の縦横方向を変えて配置しても、同一の条件を得られる。
【００３８】
したがって、たとえ１台の室内機Ｋを同一の被空調室に取付ける場合であっても、第１の吊り金具Ｔ１もしくは第２の吊り金具Ｔ２を配置条件に応じて選択できる。室内機Ｋの配置条件の選択範囲が拡大して、有効性の向上が得られる。  
特に、４５度傾けた取付けであると、化粧パネル１３の吹出し口１６から被空調室の側壁に斜めに対して斜めに熱交換空気が吹出されることになり、室内で熱交換空気が撹拌され易い。
【００３９】
このような室内機Ｋを、仕切りの無い大空間である同一の被空調室Ｒに、複数列で、複数台の室内機Ｋを取付け配置する場合には、以下に述べるようになる。  
図３は、第１の実施形態に係る、室内機Ｋの取付け配置図。図４は、同実施形態に係る、室内機Ｋの取付け配置構造と、熱交換空気の吹出し方向を説明する図である。
【００４０】
横方向（Ｘ−Ｘ）寸法が縦方向（Ｙ−Ｙ）寸法よりも大なる被空調室Ｒにおいては、縦方向（Ｙ−Ｙ）に２列で、横方向（Ｘ−Ｘ）に複数台（ここでは、４台）の室内機Ｋを取付ける。  
図３に示すように、天井パネルＰから室内に露出する個々の室内機Ｋの化粧パネル１３は矩形状をなし、縦横所定間隔を存して整然と配置され、取付けられているから、美観の向上を得られる。
【００４１】
なお説明すると、図の上部側列である１列目の最も出入り口Ｒａに近い部位に取付けられる室内機Ｋａ１の化粧パネル１３ａ１は、互いに対向する一方の二辺が室Ｒの縦方向（Ｙ−Ｙ）側壁Ｗｂと平行で、他方の二辺が室Ｒの横方向（Ｘ−Ｘ）側壁Ｗａと平行に配置される。この室内機Ｋａ１に隣設される室内機Ｋａ２の化粧パネル１３ａ２は、化粧パネル１３ａ１とは４５度傾けた状態で配置される。
【００４２】
そして、この４５度傾けた化粧パネル１３ａ２に隣設される室内機Ｋａ３の化粧パネル１３ａ３は、出入口Ｒａに最も近い部位に取付けられる室内機Ｋａ１の化粧パネル１３ａ１と同様、互いに対向する一方の二辺が室の縦方向側壁Ｗｂと平行で、他方の二辺が室の横方向側壁Ｗａと平行に配置される。
【００４３】
この室内機Ｋの化粧パネル１３ａ３に隣設される、室の最も奥まった位置に配置される室内機Ｋａ４の化粧パネル１３ａ４は、４５度傾いた状態で配置される。すなわち、第１列目においては、室の入口側から奥まった方向にかけて、室の側壁Ｗａ，Ｗｂと平行な配置の室内機Ｋと、側壁Ｗａ，Ｗｂとは４５度傾いた状態の室内機Ｋが交互に配置されることになる。
【００４４】
また、２列目の出入口Ｒａに最も近い部位に取付けられる室内機Ｋｂ１の化粧パネル１３ｂ１は、室の側壁Ｗａ，Ｗｂとは４５度傾いた状態で配置される。１列目の出入口Ｒａに最も近い部位に取付けられる室内機Ｋａ１の化粧パネル１３ａ１とは異なる姿勢の配置である。
【００４５】
この室内機Ｋｂ１に隣設される室内機Ｋｂ２の化粧パネル１３ｂ２は、室の側壁Ｗａ，Ｗｂと平行に配置されていて、１列目の同じ部位に取付けられる室内機Ｋａ２の化粧パネル１３ａ２とは異なる姿勢の配置である。
【００４６】
さらに、室内機Ｋｂ２に隣設される室内機Ｋｂ３の化粧パネル１３ｂ３は、室の側壁Ｗａ，Ｗｂとは４５度傾いた状態で配置され、１列目の同じ部位に取付けられる室内機Ｋａ３とは異なる姿勢の配置である。
【００４７】
室内機Ｋｂ３の化粧パネル１３ｂ３に隣設される、室の最も奥まった位置に配置される室内機Ｋｂ４の化粧パネル１３ｂ４は、室の側壁Ｗａ，Ｗｂと平行な状態で配置される。すなわち、第２列目においては、室の出入口Ｒａから奥まった方向にかけて、側壁Ｗａ，Ｗｂとは４５度傾いた状態の室内機Ｋと、平行な配置の室内機Ｋが、交互に配置される。
【００４８】
このように、１列目の室内機Ｋの化粧パネル１３と、２列目の室内機Ｋの化粧パネル１３は、互いに等間隔をなしていて、縦横整然と並んで配置される。しかも、室の側壁Ｗａ，Ｗｂと平行に配置される室内機Ｋの化粧パネル１３と、４５度傾いた状態の室内機Ｋの化粧パネル１３とが、縦横交互に配置されているので、美観の向上を得られる。
【００４９】
図４は、図３に示す室内機Ｋの取付け配置構造と、熱交換空気の吹出し方向を説明する図である。  
ここでは化粧パネル１３を省略し吹出し口を図示していないが、実際に各室内機Ｋから熱交換空気が吹出される状態を説明している。また、図３は室内から天井を見上げた図であり、図４は天井裏から室内機本体１を見下げた図であるので、図３とは左右前後を逆にして示している。
【００５０】
室の側壁Ｗａ，Ｗｂと平行に配置される室内機本体１は、概略的に示す第１の吊り金具Ｔ１と、図示しない吊りボルトを用いて、梁Ｈ間の取付け用桟Ｓａに取付けられる。また、室の側壁Ｗａ，Ｗｂと４５度傾けた姿勢で配置される室内機本体１は、概略的に示す第２の吊り金具Ｔｂと、図示しない吊りボルト３を用いて梁Ｈ間の取付け用桟Ｓｂに取付けられる。  
いずれの取付け用桟Ｓａ，Ｓｂも、縦方向（Ｙ−Ｙ）に平行で、横方向（Ｘ−Ｘ）の梁Ｈ間に亘って、それぞれ２本設けられる。
【００５１】
なお、第１の吊り金具Ｔ１を用いて取付ける取付け用桟Ｓａの縦方向間隔と、第２の吊り金具Ｔ２を用いて取付ける取付け用桟Ｓｂの縦方向間隔は、互いに異なる。室内機本体１の構造上、第１の吊り金具Ｔ１を取付ける取付け用桟Ｓａの縦方向間隔が、第２の吊り金具Ｔ２を用いて取付ける取付け用桟Ｓｂの縦方向間隔よりも大となる。
【００５２】
図中大矢印は、ここでは図示しない吹出し口から吹出される熱交換空気の吹出し方向を示している。各室内機Ｋにおいて、室の側壁Ｗに直接に向かっての、従来と同じ吹出し口の数はごく少ない。さらに、従来のように、隣接して配置される室内機Ｋの吹出し口同士が相対向している配置は、全く無い。
【００５３】
ほとんどの吹出し口は、側壁Ｗａ，Ｗｂに対して斜めに吹出しているか、隣接する室内機Ｋの角部に向かっての吹出し、もしくは上下互いに異なる列の室内機Ｋの角部に向かっての吹出しとなる。したがって、各室内機Ｋの吹出し口から吹出される熱交換空気が互いに衝突することはほとんど無く、室の隅々まで円滑に到達する。  
どの位置にいても、同じ強さで熱交換空気を感じることとなり、空調効果をムラなく、略均一な状態で受けられる。
【００５４】
このように、２列で複数台の室内機Ｋを取付ける場合、１列目では第１の吊り金具Ｔ１での取付けと第２の吊り金具Ｔ２での取付けを交互になし、２列目では第２の吊り金具Ｔ２での取付けと第１の吊り金具Ｔ１での取付けを交互になす。
【００５５】
複数列で複数台の室内機Ｋを配置するのであれば、奇数列目では前者（第１の吊り金具Ｔ１での取付けと第２の吊り金具Ｔ２での取付けを交互になす）の取付けをなし、偶数列目では後者（第２の吊り金具Ｔ２での取付けと第１の吊り金具Ｔ１での取付けを交互になす）の取付けを行う。
【００５６】
奇数列目と偶数列目の同じ順位の室内機Ｋは、互いに異なる吊り金具Ｔ１，Ｔ２を交互に用いて取付けられることになる。また、一列当りの室内機Ｋの数が多い場合は、複数台ずつの互いに異なる吊り金具Ｔ１，Ｔ２を交互に用いた取付けをなす。  
各室内機Ｋの吹出し口１６から吹出される熱交換空気は、室内で略均一に掻きまわされ、室内のどの場所にいても、略均一な空調効果が得られることは、言うまでもない。
【００５７】
図５は、第２の実施形態に係る、複数列で、複数台の室内機Ｋを取付ける場合の配置構造図である。  
図の上部列を「第１列目」と呼び、下部列を「第２列目」と呼ぶとすると、第１列目の室内機Ｋは、全て第１の吊り金具Ｔ１を用いた取付けをなし、第２列目の室内機Ｋは、全て第２の吊り金具Ｔ２を用いた取付けをなす。
【００５８】
したがって、第１列目では室の側壁Ｗと平行に複数台の室内機Ｋを取付け、第２列目では室の側壁Ｗに対して４５度傾けた状態で複数台の室内機Ｋを取付ける。構造上、第１列目の取付けをなす取付け用桟Ｓａの相互間隔は、第２列目の取付けをなす取付け用桟Ｓｂの相互間隔よりも大となる。
【００５９】
複数台の室内機Ｋが縦横所定間隔を存して整然と配置され、美観の向上を得られる。実際に、吹出し口１６から熱交換空気を吹出した場合、第１列目の互いに対向して配置される室内機Ｋ相互間にいても、第２列目の室内機Ｋの吹出し口１６から斜めに吹出される熱交換空気も受ける。  
各室内機Ｋの吹出し口１６から吹出される熱交換空気は、室内で略均一に掻きまわされ、室内のどの場所にいても、略均一な空調効果が得られる。
【００６０】
このように、２列で複数台の室内機Ｋを取付ける場合、１列目の室内機Ｋでは、全て第１の吊り金具Ｔ１での取付けをなし、２列目の室内機Ｋでは、全て第２の吊り金具Ｔ２での取付けをなす。  
複数列で複数台の室内機Ｋの取付けであれば、奇数列目では全て前者（第１の吊り金具Ｔ１）での取付けで行い、偶数列目では全て後者（第２の吊り金具Ｔ２）での取付けを行うことになる。
【００６１】
各室内機Ｋの吹出し口１６から吹出される熱交換空気は、室内で略均一に掻きまわされ、室内のどの場所にいても、略均一な空調効果が得られることは、言うまでもない。  
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００６２】
Ｒｚ…天井裏、Ｓ…桟（室内機取付け用桟）、Ｐ…天井パネル、１ｄ…（室内機本体の）角部、１３…化粧パネル、１５…吸込み口、１６…吹出し口、Ｔ１…第１の吊り金具（第１の取付け部）、Ｔ２…第２の吊り金具（第２の取付け部）。
【図１】
2013117341.tif 000003
【図２】
2013117341.tif 000004
【図３】
2013117341.tif 000005
【図４】
2013117341.tif 000006
【図５】
2013117341.tif 000007
【図６】
2013117341.tif 000008
【図７】
2013117341.tif 000009